(57)【要約】      （修正有）【課題】１日の中で明期の太陽光の不足を補うように、植物に照射される光を調整することができる植物栽培システム、植物栽培方法、及びプログラムを提供する。【解決手段】植物栽培システムは、太陽光をあてて栽培する植物に対し、太陽光の不足を補うための第１光を放射する発光部９１と、発光部９１から第１光を放射させて補光し、植物に照射される太陽光と発光部９１からの光が所定量を超える場合に、発光部９１の発光量を低減させる制御部１４０と、を備える。【選択図】図６
2020103134.tif 000002
【特許請求の範囲】
【請求項１】
太陽光をあてて栽培する植物に対し、前記太陽光の不足を補うための第１光を放射する発光部と、
前記発光部から前記第１光を放射させて補光し、前記植物に照射される前記太陽光と前記発光部からの光が所定量を超える場合に、前記発光部の発光量を低減させる制御部と、
を備える植物栽培システム。
【請求項２】
前記制御部は、
１日の中で明期を長くするように照射の時間帯が定められた前記第１光を前記発光部から前記植物に照射させる長日点灯モードによる制御と、前記長日点灯モードによる制御とは異なる時間帯に暗期を生成するための暗期モードによる制御とを、前記１日の中に設けて、前記植物の休眠状態を制御して、
前記暗期モード時に、前記発光部から前記植物に照射される照度を前記長日点灯モード時の照度より低減させて前記暗期を生成するように前記発光部を制御する
ことを特徴とする請求項１に記載の植物栽培システム。
【請求項３】
前記発光部は、
前記明期において明期モードによる前記制御部の制御により前記植物の光合成を促進させるための第２光を前記植物に照射する、
ことを特徴とする請求項２に記載の植物栽培システム。
【請求項４】
前記発光部による前記第１光の発光量は、前記第２光の発光量より少ない、
ことを特徴とする請求項３に記載の植物栽培システム。
【請求項５】
前記発光部は、
少なくとも前記植物の栽培床の上に配置される、
ことを特徴とする請求項１から請求項４の何れか１項に記載の植物栽培システム。
【請求項６】
前記発光部は、
前記植物の葉の下方に配置され、少なくとも上方に向かう光を放射する、
ことを特徴とする請求項１から請求項５の何れか１項に記載の植物栽培システム。
【請求項７】
前記制御部は、
前記植物の栽培床が配置された位置の緯度情報に基づいて、前記発光部の発光量を調整する、
ことを特徴とする請求項１から請求項６の何れか１項に記載の植物栽培システム。
【請求項８】
前記発光部は、
前記植物に陰が生じる範囲の光を補う光を前記植物に向けて放射する、
ことを特徴とする請求項１から請求項７の何れか１項に記載の植物栽培システム。
【請求項９】
太陽光をあてて栽培する植物に対し、前記太陽光の不足を補うための第１光を放射する発光部を備える植物栽培システムの植物栽培方法であって、
前記発光部から前記第１光を放射させて補光し、前記植物に照射される前記太陽光と前記発光部からの光が所定量を超える場合に、前記発光部の発光量を低減させる過程
を含む植物栽培方法。
【請求項１０】
太陽光をあてて栽培する植物に対し、前記太陽光の不足を補うための第１光を放射する発光部を備える植物栽培システムのコンピュータに、
前記発光部から前記第１光を放射させて補光し、前記植物に照射される前記太陽光と前記発光部からの光が所定量を超える場合に、前記発光部の発光量を低減させるステップ
を実行させるためのプログラム。
【発明の詳細な説明】
【技術分野】
【０００１】
本発明は、植物栽培システム、植物栽培方法、及びプログラムに関する。
【背景技術】
【０００２】
従来、太陽光を利用する形態の植物栽培において、太陽光以外の光を植物に照射したときの影響が知られている（例えば、特許文献１参照。）。特許文献１によれば、光のスペクトル分布に特徴がある人工光を利用して、その人工光を夜通し植物に照射すると、植物の植生に影響があることが報告されている。
【先行技術文献】
【特許文献】
【０００３】
【特許文献１】特開２０１７−７７２０３号公報
【発明の概要】
【発明が解決しようとする課題】
【０００４】
しかしながら、植物にとって明期の光が太陽光だけでは満たされないことにより植物の成長が思わしくないことがある。例えば、明期の光が太陽光だけでは満たされない状態とは、日照時間の不足、照度の不足などがあげられる。特許文献１の技術では、これらを改善することは困難である。
【０００５】
本発明が解決しようとする課題は、１日の中で明期の太陽光の不足を補うように、植物に照射される光を調整することができる植物栽培システム、植物栽培方法、及びプログラムを提供することにある。
【課題を解決するための手段】
【０００６】
（１）本発明の一態様の植物栽培システムは、太陽光をあてて栽培する植物に対し、前記太陽光の不足を補うための第１光を放射する発光部と、前記発光部から前記第１光を放射させて補光し、前記植物に照射される前記太陽光と前記発光部からの光が所定量を超える場合に、前記発光部の発光量を低減させる制御部と、を備えることを特徴とする植物栽培システムである。
【０００７】
（２）また、前記制御部は、１日の中で明期を長くするように照射の時間帯が定められた前記第１光を前記発光部から前記植物に照射させる長日点灯モードによる制御と、前記長日点灯モードによる制御とは異なる時間帯に暗期を生成するための暗期モードによる制御とを、前記１日の中に設けて、前記植物の休眠状態を制御して、前記暗期モード時に、前記発光部から前記植物に照射される照度を前記長日点灯モード時の照度より低減させて前記暗期を生成するように前記発光部を制御する。
【０００８】
（３）また、前記発光部は、前記明期において明期モードによる前記制御部の制御により前記明期の照度を増やし前記植物の光合成を促進させるための第２光を前記植物に照射する。
【０００９】
（４）また、前記発光部による前記第１光の照度は、前記第２光の照度より少ない。
【００１０】
（５）また、前記発光部は、少なくとも前記植物の栽培床の上に配置される。
【００１１】
（６）また、前記発光部は、前記植物の葉の下方に配置され、少なくとも上方に向かう光を放射する。
【００１２】
（７）また、前記制御部は、前記植物の栽培床が配置された位置の緯度情報に基づいて、前記発光部の発光量を調整する。
【００１３】
（８）また、前記発光部は、前記植物に陰が生じる範囲の光を補う光を前記植物に向けて放射する。
【００１４】
（９）本発明の一態様の植物栽培方法は、太陽光をあてて栽培する植物に対し、前記太陽光の不足を補うための第１光を放射する発光部を備える植物栽培システムの植物栽培方法であって、前記発光部から前記第１光を放射させて補光し、前記植物に照射される前記太陽光と前記発光部からの光が所定量を超える場合に、前記発光部の発光量を低減させる過程を含む。
【００１５】
（１０）本発明の一態様のプログラムは、太陽光をあてて栽培する植物に対し、前記太陽光の不足を補うための第１光を放射する発光部を備える植物栽培システムのコンピュータに、前記発光部から前記第１光を放射させて補光し、前記植物に照射される前記太陽光と前記発光部からの光が所定量を超える場合に、前記発光部の発光量を低減させるステップを実行させるためのプログラムである。
【発明の効果】
【００１６】
本発明によれば、１日の中で明期の太陽光の不足を補うように、植物に照射される光を調整することができる植物栽培システム、植物栽培方法、及びプログラムを提供できる。
【図面の簡単な説明】
【００１７】
【図１】本発明の第１の実施形態に係る植物栽培システムについて説明するための図である。
【図２】図１に示す植物栽培システムの立面図である。
【図３Ａ】実施形態に係る局所区画部を適用した栽培床周りについて説明するための説明図である。
【図３Ｂ】実施形態に係る局所区画部を適用した栽培床周りについて説明するための説明図である。
【図４】実施形態の灯具９１の構成図である。
【図５】実施形態の灯具９１の断面図である。
【図６】実施形態に係る植物栽培システムの構成図である。
【図７】実施形態に係る栽培環境制御の手順の一例を示すフローチャートである。
【図８】第１の実施形態の第１の変形例に係る栽培環境制御の手順の一例を示すフローチャートである。
【図９】第１の実施形態の第２の変形例に係る栽培環境制御の手順の一例を示すフローチャートである。
【図１０Ａ】第２の実施形態に係る局所区画部を適用した栽培床周りについて説明するための説明図である。
【図１０Ｂ】第２の実施形態に係る局所区画部を適用した栽培床周りについて説明するための説明図である。
【発明を実施するための形態】
【００１８】
以下、本発明の実施形態の植物栽培システム、植物栽培方法、及びプログラムについて、添付図面を参照して説明する。
なお、実施形態における「栽培床」は、植物を栽培するための土壌、培地、及び養液のうちの何れかが溜め置かれた「栽培槽」又は「栽培ベッド」を含む。ここでいう「栽培床」は、地面より高い位置に配置されるものをいう。
【００１９】
（第１の実施形態）
図１は、本発明の第１の実施形態に係る植物栽培システムについて説明するための図である。図２は、図１のＡ−Ａ’面側から見た植物栽培システムの立面図である。図３Ａと図３Ｂは、実施形態に係る局所区画部を適用した栽培床周りについて説明するための説明図である。図３Ａに示す断面図は、図１と図２に示すＢ−Ｂ’断面の局所区画部を示す。図３Ｂに示す平面図は、１つの局所区画部内に設けられた栽培床を、その上部から平面視したものである。同じ構成には同じ符号を附す。
【００２０】
［栽培環境］
・栽培施設
実施形態の植物栽培システム１は、栽培施設２における植物３の栽培を制御する。栽培施設２は、農業ハウス等とも称され、ビニルシート等の樹脂シートでドーム状にしたものや、ガラス等を枠組したハウス等、植物３を栽培するのに用いられる全ての温室構造体が含まれる。栽培施設２は、内外の温度差があるときに断熱効果をあげるため、樹脂シート又はガラス等により２重に構成されていてもよい。
その内部の植栽区域には、植物３を栽培するための栽培床４が配置される。植栽区域には栽培床４の他に、栽培床４に対して作業者が植物３を栽培するための作業、資材の搬入、収穫物の搬送などを行う通路、並びに作業に利用するための空間等が含まれてもよい。
例えば、栽培施設２は、自然光（太陽光ＳＬ）を利用して、栽培施設２の内部で植物３の栽培を可能にする。なお、栽培施設２には、日照量を補うための補光光源が栽培施設２の内部に設けられている。
【００２１】
図１に示す栽培施設２は、側壁部２１、２２、２３、２４と、屋根部２５とを有する。側壁部２１、２２、２３、２４を纏めて示す場合には、側壁部２０ということがある。
栽培施設２は、側壁部２０などに開度を調整可能な開口部を有する。その開口部の開度を調整することで、植栽区域が過度に高温になることを抑制できる。屋根部２５は、同様に自然光の透過性がある部材で形成される。
【００２２】
・栽培床４を囲む局所区画部
局所区画部５は、その栽培施設２の内部に設けられた植物３の栽培床４を囲み、植物３を栽培するための局所区画をその内部に形成する。局所区画部５は、底部５１と、植物３の丈に基づいて決定された高さの局所区画壁５２、５３とを含む。局所区画部５は、底部５１と局所区画壁５２、５３などの局所区画壁とにより容器状に構成されている。なお、底部５１は、その一部又は全部が栽培床４の高さに合わせて配置されていてもよい。
【００２３】
局所区画部５には、栽培床４が配置された局所区画の上部を閉じる可動蓋５４が設けられている。例えば、局所区画部５は、局所区画部５に照射される光の一部を透過する膜状部材で形成される。局所区画部５の内側又は外側に、栽培施設２の内部の状況を検出するための各種センサ（不図示）が設けられている。
【００２４】
栽培床４には、植物３を栽培するための土壌４１が設けられている。栽培床４の土壌４１の上には、後述する照明設備９の灯具９１と、潅水用に用いられる潅水パイプ４２が設けられている。例えば、灯具９１と潅水パイプ４２の延伸方向は、栽培床４の延在方向に一致する。
【００２５】
図４と図５を参照して、実施形態の灯具９１について説明する。
図４は、実施形態の灯具９１の構成図である。図５は、実施形態の灯具９１の断面図である。図４に示す灯具９１は、光源になる発光体９１Ｌと、発光体を保持する支持体９１Ｂとを含む。
【００２６】
発光体（光源）の種類：
発光体９１Ｌとして、照射時のエネルギー変換効率が比較的高い光源を採用する。例えば、発光体９１Ｌは、ＬＥＤ（light emitting diode）である。ＬＥＤは、エネルギー変換効率が比較的高く、植物３の周囲が高温になるほど発熱しない。
【００２７】
支持体の形状：
図４に示すようにテープ型に形成された支持体９１Ｂには、複数の発光体９１Ｌが設けられている。例えば、支持体９１Ｂの第１の面を発光面ＦＡとし、第１面の背面になる第２面を基板面ＦＢとする。発光面ＦＡには、複数の発光体９１Ｌが外部に光を照射可能な状態で設けられている。少なくとも発光面ＦＡから、発光体９１Ｌからの光が射出される。複数の発光体９１Ｌは、テープ形状の延伸方向に所定の間隔を開けて所望の密度で配置される。
【００２８】
発光面ＦＡは、発光面ＦＡの一部又は全部が発光体９１Ｌを保護する保護部材９１Ｃによって覆われていてもよい。保護部材９１Ｃは、例えば、上記の発光面ＦＡの少なくとも一部として形成されていてもよい。支持体９１Ｂの延伸方向に直交する断面（Ｃ−Ｃ’）における保護部材９１Ｃは、例えば、図５に示すように片面がドーム型（かまぼこ型）に形成される。保護部材９１Ｃは、潅水、養液、農薬などの散布時に、その水分又は成分が発光体９１Ｌ及びその配線に直接かかることを防ぐ。例えば、保護部材９１Ｃは、シリコンなどの樹脂で形成される。なお、図５に示す断面図において、支持体９１Ｂ部分の詳細な記載を省略する。支持体９１Ｂの一部に少なくとも１対の導体が、発光体９１Ｌを繋ぐように設けられている。支持体９１Ｂの中でその配線を配置する位置は適宜定めることができる。
【００２９】
設営状態の光の配光特性：
例えば、支持体９１Ｂがテープ型に形成された場合、発光面ＦＡと基板面ＦＢとを識別することが容易である。また、発光面ＦＡが上方を向くように支持体９１Ｂ（テープ）に捻じれがなく設営されていれば、途中で発光面ＦＡが上方以外に向いていることはない。
【００３０】
灯具９１における発光面ＦＡにおいて光が拡散される場合に、光が拡散する方向の中心が発光面ＦＡの法線の方向に一致していると仮定する。上記のように発光面ＦＡが上方に向けられていれば、光が拡散する方向の中心が略上方に向くことになる。
【００３１】
上記の図５の断面図に示すように、光軸に対する光の配光特性は、概ね対象になるように各発光体の光軸が調整されている。
【００３２】
電気的な接続：
例えば、テープ型の灯具９１は、支持体９１Ｂの延伸方向の両方の端部に、電力の供給を可能にする接続端子ＣＮＡと接続端子ＣＮＢを備える。例えば、接続端子ＣＮＡに電力を供給することにより、発光体９１Ｌが発光する。接続端子ＣＮＡと接続端子ＣＮＢを用いて、２つの灯具９１を順に接続することができる。例えば、第１の灯具９１の接続端子ＣＮＢと第２の灯具９１の接続端子ＣＮＡを電気的に接続する。これにより、第１の灯具９１の接続端子ＣＮＡに電力を供給することにより、第１の灯具９１と第２の灯具９１の両方に電力を供給することができ、その電力の供給により第１の灯具９１と第２の灯具９１の両方が発光する。なお、複数の灯具９１を順に接続する灯具９１の数は、２つに限らない。さらに灯具９１を直列に接続することにより、３つ以上の灯具９１に電力を供給可能にする。なお、直列に接続可能な最大数は、灯具９１の電気的仕様により制限される。
【００３３】
照明設備の設営：
灯具９１の支持体９１Ｂがテープ型に形成されていることにより、灯具９１は、収納時には巻き取って収納することができる。灯具９１を照明設備として設営する場合には、灯具９１を巻き取った状態から適宜ほぐして、栽培床４上の所定の位置に配置される。例えば、灯具９１は、テープ形状の延伸方向が栽培床４の延伸方向に合うように、栽培床４の上に配置される。
【００３４】
例えば、１つの灯具９１の延伸方向の長さを５ｍ（メートル）と仮定する。この場合、６つの灯具９１を、栽培床４の延伸方向に連ねて配置すると、３０ｍの範囲に灯具９１を配置することができる。このように、灯具９１の延伸方向の長さを所定の長さに制限することにより、設営時と撤去時の労力を低減させることができる。
【００３５】
図６は、実施形態に係る植物栽培システムの構成図である。
植物栽培システム１は、栽培環境制御装置１００と、照明設備９と、照度センサ９５とを備える。栽培環境制御装置１００には、制御対象として少なくとも照明設備９が接続されている。
【００３６】
照度センサ９５は、局所区画部５の比較的近傍で、その局所区画部５の局所区画壁５２、５３等の局所区画壁の上端部より高い位置に設けられ、局所区画部５の照度（ＬＨ）を検出する。
【００３７】
栽培環境制御装置１００は、ＩＦ部１１０と、通信部１２０と、記憶部１３０と、制御部１４０を備える。
【００３８】
例えば、栽培環境制御装置１００は、ＲＡＭ（Random Access Memory）、ＲＯＭ（Read only memory）などの記憶装置（記憶部１３０）と、入出力装置と、インターフェイス部（ＩＦ部１１０、通信部１２０）と、ソフトウエアプログラムを実行するプロセッサ（制御部１４０）などを含む所謂コンピュータであってもよい。
【００３９】
ＩＦ部１１０は、栽培環境制御装置１００の外部装置にあたる照明装置９などに接続されている。ＩＦ部１１０は、各外部装置からの情報を取得して、記憶部１３０に書き込むと共に、制御部１４０の制御により各外部装置に対する制御情報を供給する。照度センサ９５などの各種センサとＩＦ部１１０、及び照明装置９とＩＦ部１１０は、有線通信と無線通信の何れかで通信可能に接続される。
【００４０】
通信部１２０は、制御部１４０の制御により、栽培環境制御装置１００の外部装置にあたるサーバ装置又は端末装置と通信する。例えば、スマートホン、タブレット型装置、パーソナルコンピュータ等は、端末装置の一例である。
【００４１】
記憶部１３０は、栽培施設２に設けられている各種設備に係る情報、各種設備から収集した情報、制御に用いる閾値情報、制御状態などの情報を記憶する。各種設備に係る情報には、照明装置９等を含む各種設備の情報、照度センサ９５により検出された明るさ（照度（ＬＨ）、日射量）等の情報が含まれる。さらに、記憶部１３０は、上記の検出結果の他に、各種処理に利用する判定閾値、栽培施設２内外の状況の変化、上記の各設備を制御した履歴を記憶する時刻歴情報があり、記憶部１３０は、制御した時刻と関連付けて制御履歴情報を記憶する。
【００４２】
制御部１４０は、予め定められた栽培計画に従い、各種設備から収集された情報に基づいて、栽培施設２に設けられている各種設備を制御する。
【００４３】
例えば、照明装置９は、灯具９１と、灯具９２と照明制御部９３とを備える。照明制御部９３は、制御部１４０から点灯と消灯の切り替え時刻に関する情報と現時点の明るさに関する情報が指示される。照明制御部９３は、指示された時刻に関する情報に従って灯具９１と灯具９２の点灯を制御し、調光する。灯具９１と灯具９２が照射する光は、例えば、自然光に近い光、演色性の良い光質、白色光（昼光職、昼白色）などが望ましい。つまり、灯具９１と灯具９２としては、もっぱら特定の波長の可視光、紫外線、赤外線などを照射するものより、太陽光ＳＬに近い光質の光を照射可能なものの方が適している。灯具９１のより具体的な事例について後述する。以下の本実施形態の説明において、灯具９２の詳細な説明を省略する。灯具９２の詳細な説明については第２の実施形態による。なお、照明制御部９３による機能を、次に示す制御部１４０が代行してもよい。
【００４４】
制御部１４０は、日射量、日照時間の不足を補うように決定された時間に、灯具９１を点灯させるように照明制御部９３を制御する。制御部１４０は、照度（ＬＨ）に基づいて、灯具９１を調光させるように照明制御部９３を制御してもよい。制御部１４０は、照度センサ９５により検出した明るさに関する情報を照明装置９に供給する。
【００４５】
例えば、植物栽培システム１は、植物３の栽培の過程において、太陽光ＳＬによる光の量の不足を人工光の照射によって補うように制御することにより、植物３の成長を所望の状態になるように調整する。なお、太陽光ＳＬの光の量は、日射量（照度）と、日照時間などにより規定される。植物栽培システム１は、植物３の成長を調整するための複数の制御モードを有する。例えば、複数の制御モードには、「明期モード」、「長日点灯モード」、「暗期モード」、等が含まれる。
【００４６】
「明期モード」とは、日の出から日の入りまでの間（明期）に、人工光（第２人工光）の照射を実施する制御モードのことである。「明期モード」は、主に明期の光の量として照度の不足を調整することに利用される。
【００４７】
「長日点灯モード」とは、少なくとも日の出前の所定の時刻から人工光（第１人工光）の照射を開始して、日の出前に人工光を照射する制御モードのことである。さらに、日の入後の所定の時刻まで人工光を照射して、日の入後に人工光（第１人工光）を照射する制御も、「長日点灯モード」による制御に含めてもよい。これにより、太陽光による日照時間が不足している際に、人工光の照射によって明期を延長させることが可能になる。なお、実施形態の「長日点灯モード」には、日の入りから日の出までの間を通じて、人工光の照射を実施する場合を含まない。このような「長日点灯モード」による処理のことを、「長日補光」、「長日処理」などと呼ぶことがある。
【００４８】
「暗期モード」とは、日の入りから日の出までの間に選択される制御モードのことである。例えば、「長日点灯モード」が選択されていない期間には、人工光による光の照射を実施しないことにより、植物３の育成環境に暗期を設けることができる。「暗期モード」時には、植物３に照射される人工光による照度を「長日点灯モード」時の照度より低減させる。例えば、人工光の照射を中断させることで暗期を生成してもよい。
【００４９】
［作用について］
以下、栽培環境制御装置１００による光の量を補うための各種制御について順に説明する。制御部１４０は、植物３の生理に合わせて、所望の収穫が得られるように灯具９１による照射量と灯具９１の点灯期間を調整して、灯具９１の点灯状態を制御する。
【００５０】
（光合成のための補光）
太陽光利用型の植物栽培システム１の場合、植物３は、一般的に日の出から日の入りまでの日照により光合成を行う。ただし、仮に晴れていたとしても、植物３の全ての葉に太陽光ＳＬが届くことはない。例えば、植物３の第１葉の陰になる第２葉に届く光の量は、第１葉で遮られることにより制限される。つまり、植物３は、自身の葉などによりに、保有する葉が受けることが可能な光の量に対して、植物３の葉に実質的に照射される日射量が制限されることになる。このような影の影響を減らすことができれば、植物３の育成に利用可能な光の量を増やすことが可能になる。
【００５１】
少なくとも、太陽光ＳＬは、植物３の上方又は横方向から植物３に届く。そのため、植物３の葉の裏側は、少なくともその葉の陰になる。植物３の下側からの補光があれば、葉の裏側、陰になった葉などに照射される光により照度を高めることができる。本実施形態では、栽培床４の上に灯具９１を配置して、植物３の下側からの補光を実施する。この光合成のための補光は、例えば、前述の「明期モード」の選択により実施される。
【００５２】
（休眠状態を制御するための補光）
植物３の休眠とは、冬季などのように植物３の成長に適さない時期に、植物３の成長が停止している状態にあることをいう。例えば、特に冬季になると日照時間が短くなり、植物３に届く光の量が減少する。このような状態になると、特定の植物は、休眠状態に入る。植物３が休眠状態にあると、個体が成長（栄養成長）することがあっても、個体の子孫を残すための成長（生殖成長）のステージに移行しないことがある。植物が休眠状態から抜けるには、１日に受ける光が関係する。植物が休眠状態から抜けることを、休眠打破という。植物が休眠状態に入ることを、休眠突入という。植物の覚醒した状態を維持して、植物が休眠状態に突入しないようにすることを休眠突入回避という。休眠状態の制御には、休眠打破と休眠突入回避とが含まれる。実施形態では、補光により植物３の休眠状態を制御する。
【００５３】
例えば、イチゴは、照度が数百ルクスより高い光を受けると休眠状態から抜けて覚醒する。比較的長期にわたりイチゴに実をつけるには、個々の個体において栄養成長と生殖成長とが同時に進行するように休眠状態を制御するとよい。この休眠状態を制御するための補光は、例えば、前述の「長日点灯モード」により実施される。
【００５４】
例えば、明け方の時間帯等に、対象の植物３に所定量の照度の人工光を照射することによって、植物３は、実際の日の出の時刻より早い時間から所定量以上の照度の光の照射を受けることになる。植物３は、これに対して、１日の日照時間が長くなったものとして反応する。例えば、冬季に成長を控える植物の場合、１日の日照時間が長くなることで成長が活性化することが知られている。
【００５５】
そこで、実施形態の栽培施設２では、植物３に１日当たりの日照時間が長くなったことを疑似的に感知させて、植物３が休眠状態から抜けるように制御する。
【００５６】
例えば、照明設備９の点灯時間を、植物３の休眠打破と休眠突入回避とを同時に実現するのに必要とされる時間より長く決定する。照明設備９の点灯開始時刻ｔｏｎから消灯時刻ｔｏｆｆまでの点灯期間に、栽培施設２は、照明設備９を点灯させる。例えば、点灯開始時刻ｔｏｎが午前６時であり、消灯時刻ｔｏｆｆが午後６時３０分である。冬季であれば、午前６時は日の出前であり、午後６時３０分は日の入り後である。
【００５７】
消灯時刻ｔｏｆｆから点灯開始時刻ｔｏｎまでの期間（夜間）には、栽培施設２は、照明設備９を消灯して、植物３に対する積極的な光の照射を制限する時間帯を設ける。これにより、植物３に光の照射による過度のストレスが掛かることなく、植物３の休眠打破と休眠突入回避とが同時に実現する。
【００５８】
上記のように、照明設備９の点灯時間を調整することにより、植物３の生理に合うように疑似的に日照時間を長くした休眠状態の制御により、植物３の休眠打破と休眠突入回避とを同時に実現することが可能になる。
【００５９】
図７は、実施形態に係る栽培環境制御の手順の一例を示すフローチャートである。
まず、制御部１４０は、栽培環境制御を実施することを要する有効日であるか否かを判定し（ＳＡ５）、有効日ではない場合に、その日の栽培環境制御を実施することなく、下記する一連の処理を終了する。
【００６０】
有効日である場合、制御部１４０は、時刻ｔが点灯開始時刻ｔｏｎに達したか否かを判定し（ＳＡ１０）、時刻ｔが点灯開始時刻ｔｏｎに至るまでＳＡ１０の判定を繰り返す。例えば、この判定は、所定の周期で実施してもよく、時刻ｔが点灯開始時刻ｔｏｎになったことによる割り込み処理に代えてもよい。
【００６１】
次に、時刻ｔが点灯開始時刻ｔｏｎに達すると（ＳＡ１０：Ｙｅｓ）、制御部１４０は、照明設備９を点灯させる（ＳＡ２０）。
【００６２】
次に、制御部１４０は、時刻ｔが消灯時刻ｔｏｆｆに達したか否かを判定し（ＳＡ３０）、時刻ｔが消灯時刻ｔｏｆｆに至るまでＳＡ３０の判定を周期的に繰り返す。例えば、この判定は、所定の周期で実施してもよく、時刻ｔが消灯時刻ｔｏｆｆになったことによる割り込み処理に代えてもよい。
【００６３】
次に、時刻ｔが消灯時刻ｔｏｆｆに達すると（ＳＡ３０：Ｙｅｓ）、制御部１４０は、照明設備９を消灯させる（ＳＡ４０）。
【００６４】
なお、制御部１４０は、例えば、有効日と判定された日に上記の処理を繰り返す。有効日と判定された日は、毎日、特定の生育ステージ内の連日、及び予め定められた期間内の連日のうちから規定される。
【００６５】
上記の実施形態によれば、灯具９１（発光部）は、太陽光ＳＬをあてて栽培する植物３に対し、太陽光ＳＬの不足を補うための第１人工光（第１光）を放射する。制御部１４０は、灯具９１から第１人工光を放射させて補光し、植物３に照射される太陽光ＳＬと灯具９１からの第１人工光が所定量を超える場合に、灯具９１の発光量を低減させることにより、植物栽培システム１は、１日の中で明期の光の不足を補うように、植物に照射される光を調整することができる。
【００６６】
また、灯具９１（発光部）は、太陽光ＳＬによる光合成によって生育する植物３に光を放射する。制御部１４０は、植物３を休眠させないように、１日の中で明期を長くするように照射の時間帯が定められた第１人工光（第１光）を灯具９１から植物３に照射させる長日点灯モードによる制御と、長日点灯モードによる制御とは異なる時間帯に暗期を生成するための暗期モードによる制御とを、１日の中に設けるように灯具９１を制御することで、１日の中で明期を長くするように光の照射時間を長くして、植物３の育成に必要とされる所望の光の量を得ることができる。
【００６７】
また、灯具９１は、制御部１４０の制御により明期の照度を増やし植物３の光合成を促進させるための第２人工光（第２光）を植物３に照射してもよい。上記の第２人工光（第２光）とは、例えば、制御部１４０が明期モード時に照射させる光のことである。これにより、明期の照度を太陽光だけを利用する場合の照度に対して増やすことができる。
【００６８】
また、灯具９１は、少なくとも植物３の栽培床４の上に配置されてよい。例えば、灯具９１は、植物３の葉の下方に配置されていれば、少なくとも上方に向かう光を放射することで、効率よく植物３に光を照射することができる。
【００６９】
なお、比較例には植物の上から補光する形態がある。この場合も、太陽光ＳＬがよりよくあたる第１葉と、第１葉の陰になる第２葉を比べても、太陽光ＳＬの場合と大差がなく、第２葉には光が届きにくいことに変わりがない。
【００７０】
これに対して、実施形態では、太陽光ＳＬによる影になりやすい葉により多くの光があたるように、植物３に対して、第１人工光と第２人工光とを補助的に照射することで、より効率よく植物３に光を照射することができる。
【００７１】
（第１の実施形態の第１の変形例）
図８を参照して、第１の実施形態の第１の変形例について説明する。
所定量を超える明るさ（照度）の光を植物３に照射しても、光合成を促進させることができなくなることがある。その所定量は、植物３の種類によって異なる。本変形例では、太陽光ＳＬによる明るさ（照度）が予め定められた値を超えた場合に、照明設備９による補光を中断又は減光させるように制御する事例について説明する。なお、以下の説明では、照度を明るさを示す指標とするが、これに制限されない。
【００７２】
図８は、第１の実施形態の第１の変形例に係る栽培環境制御の手順の一例を示すフローチャートである。
【００７３】
まず、制御部１４０は、栽培環境制御を実施することを要する有効日であるか否かを判定し（ＳＡ５）、有効日ではない場合に、その日の栽培環境制御を実施することなく、下記する一連の処理を終了する。
【００７４】
有効日である場合、制御部１４０は、時刻ｔが点灯開始時刻ｔｏｎに達したか否かを判定し（ＳＡ１０）、時刻ｔが点灯開始時刻ｔｏｎに至るまでＳＡ１０の判定を繰り返す。
【００７５】
次に、時刻ｔが点灯開始時刻ｔｏｎに達すると（ＳＡ１０：Ｙｅｓ）、制御部１４０は、照明設備９を点灯させる（ＳＡ２０）。
【００７６】
次に、制御部１４０は、照度センサ９５により検出された照度(ルクス)が第１照度値を超えたか否かを判定する（ＳＡ２２）。照度が第１照度値を超えた場合（ＳＡ２２：Ｙｅｓ）には、制御部１４０は、照明設備９を消灯させる（ＳＡ２４）。例えば、この第１照度値は、所定量を超える照度の光を植物３に照射しても、光合成を促進させることができなくなる照度に基づいて決定される。
【００７７】
次に、制御部１４０は、照度センサ９５により検出された照度が第２照度値より低下したか否かを判定し（ＳＡ２６）、照度が第２照度値より低下するまでＳＡ２６の判定を繰り返す。第２照度値は、上記の第１照度値に対応付けて定められ、第１照度値と同じ値か、第１照度値よりいくらか小さい値にする。第１照度値よりいくらか小さい値にすることにより、判定の基準にヒステリシスを設ける。
【００７８】
照度が第２照度値より低下した場合（ＳＡ２６：Ｙｅｓ）には、制御部１４０は、処理をＳＡ２０に進めて照明設備９を再び点灯させる。
【００７９】
照度が第１照度値を超えなかった場合（ＳＡ２２：Ｎｏ）には、制御部１４０は、処理をＳＡ３０Ａに進める。
【００８０】
次に、制御部１４０は、時刻ｔが消灯時刻ｔｏｆｆに達したか否かを判定し（ＳＡ３０Ａ）、時刻ｔが消灯時刻ｔｏｆｆに至るまではＳＡ２２の処理に進める。
【００８１】
次に、時刻ｔが消灯時刻ｔｏｆｆに達すると（ＳＡ３０Ａ：Ｙｅｓ）、制御部１４０は、照明設備９を消灯させて（ＳＡ４０）、図に示す１日分の制御を終える。
【００８２】
上記の第１の変形例によれば、制御部１４０は、植物３に照射される光の照度が所定量を超える場合に、灯具９１から植物３に照射する光を減光させてよい。例えば、日中の時間帯に太陽光ＳＬによる照度が十分である場合に、照明設備９を消灯することができる。このように照明設備９を消灯することで、植物３の育成に要するエネルギーのロスを減らすことが可能になる。
【００８３】
なお、上記の照度センサ９５を、日射強度センサ、光量子センサなどに代えてもよい。日射強度センサは、日射強度（キロジュールなど）を測定値とする。光量子センサは、光量子強度（モル／単位面積／毎秒など）を測定値とする。
【００８４】
（第１の実施形態の第２の変形例）
図９を参照して、第１の実施形態の第２の変形例について説明する。
植物３には、「明期モード」時の光の量と、「長日点灯モード」時の光の量とを互いに異なる値にすることで、植物３の育成をより効率よく行えるものある。本変形例では、「明期モード」時の人工光の量と、「長日点灯モード」時の人工光の量とを互いに異なる値にする事例について説明する。
【００８５】
上記の灯具９１の点灯期間のうち、点灯開始時刻ｔｏｎから時刻ｔ１までの期間と、時刻ｔ２から消灯時刻ｔｏｆｆまでの期間は、植物３の休眠打破と休眠突入回避とを同時に実現するために日の出前、日の入り後の光の量を補うための点灯になる。例えば、時刻ｔ１が午前７時３０分であり、時刻ｔ２が午後４時３０分である。また、上記の点灯期間のうち、時刻ｔ１から時刻ｔ２までの期間は、植物３の光合成を促進するための光の量を補うための点灯を行う期間になる。なお、上記の点灯開始時刻ｔｏｎと、消灯時刻ｔｏｆｆと、時刻ｔ１と、時刻ｔ２の具体的な時刻は、一例を示すものでありこれに制限されず、変更可能である。例えば、栽培施設２の位置（緯度経度）によって、これらの時刻を変えることがある。
【００８６】
上記のように、照明設備９の点灯時間と点灯条件を調整することにより、植物３の生理に合うように疑似的に日照時間を長くして、植物３の休眠打破と休眠突入回避とを同時に実現することが可能になる。
【００８７】
また、冬季の場合には、日中であっても太陽の高度が低く日照量が他の季節に比べて少ない。上記のように、時刻ｔ１から時刻ｔ２までの期間に、照明設備９を点灯させることにより、日中の光の量を補うことで、光合成を促進させることが可能になる。
【００８８】
図９は、第１の実施形態の第２の変形例に係る栽培環境制御の手順の一例を示すフローチャートである。
まず、制御部１４０は、栽培環境制御を実施することを要する有効日であるか否かを判定し（ＳＡ５）、有効日ではない場合に、その日の栽培環境制御を実施することなく、下記する一連の処理を終了する。
【００８９】
有効日である場合、制御部１４０は、時刻ｔが点灯開始時刻ｔｏｎに達したか否かを判定し（ＳＡ１０）、時刻ｔが点灯開始時刻ｔｏｎに至るまでＳＡ１０の判定を繰り返す。
【００９０】
次に、時刻ｔが点灯開始時刻ｔｏｎに達すると（ＳＡ１０：Ｙｅｓ）、制御部１４０は、長日点灯モードの点灯条件で照明設備９を点灯させる（ＳＡ１２）。
【００９１】
次に、制御部１４０は、時刻ｔが時刻ｔ１に達したか否かを判定し（ＳＡ１４）、時刻ｔが時刻ｔ１に至るまでＳＡ１４の判定を繰り返す。
【００９２】
次に、時刻ｔが時刻ｔ１に達すると（ＳＡ１４：Ｙｅｓ）、制御部１４０は、明期点灯モードの点灯条件で照明設備９を点灯させる（ＳＡ２０Ａ）。
【００９３】
次に、制御部１４０は、照度が第１照度値を超えたか否かを判定する（ＳＡ２２）。照度が第１照度値を超えた場合（ＳＡ２２：Ｙｅｓ）には、制御部１４０は、照明設備９を消灯させる（ＳＡ２４）。
【００９４】
次に、制御部１４０は、照度が第２照度値より低下したか否かを判定し（ＳＡ２６）、照度が第２照度値より低下するまでＳＡ２６の判定を繰り返す。
【００９５】
照度が第２照度値より低下した場合（ＳＡ２６：Ｙｅｓ）には、制御部１４０は、処理をＳＡ２０Ａに進めて照明設備９を明期点灯モードの点灯条件で再び点灯させる。
【００９６】
次に、照度が第１照度値を超えなかった場合（ＳＡ２２：Ｎｏ）には、制御部１４０は、処理をＳＡ２８に進める。
【００９７】
次に、制御部１４０は、時刻ｔが時刻ｔ２に達したか否かを判定し（ＳＡ２８）、時刻ｔが時刻ｔ２に至るまでＳＡ２２の判定を実施する。
【００９８】
時刻ｔが時刻ｔ２に達すると、制御部１４０は、第３モードの点灯条件で照明設備９を点灯させる（ＳＡ２９）。
【００９９】
次に、制御部１４０は、時刻ｔが消灯時刻ｔｏｆｆに達したか否かを判定し（ＳＡ３０Ｂ）、時刻ｔが消灯時刻ｔｏｆｆに至るまでＳＡ３０Ｂの判定を実施する。
【０１００】
次に、時刻ｔが消灯時刻ｔｏｆｆに達すると（ＳＡ３０Ｂ：Ｙｅｓ）、制御部１４０は、照明設備９を消灯させる（ＳＡ４０）。
【０１０１】
上記の第２の変形例によれば、照明設備９の点灯モード（点灯条件）として、長日点灯モードと、明期点灯モードとを有することにより、日の出の時間帯と日の入の時間帯、及び日中の時間帯の夫々の時間帯の照明設備９の点灯条件を変えることができる。
【０１０２】
また、長日点灯モード時の灯具９１による第１光の発光量は、明期点灯モード時の第２光の発光量より少なくしてもよい。これによれば、例えば、日の出の時間帯と日の入の時間帯の照度を、日中の時間帯の照度より少なくするなどの設定が可能になる。
【０１０３】
（第２の実施形態）
前述の図８と、図１０Ａと図１０Ｂとを参照して、第２の実施形態に係る局所区画部について説明する。
図１０Ａと図１０Ｂは、実施形態に係る局所区画部を適用した栽培床周りについて説明するための説明図である。図１０Ａに示す断面図は、図１と図２に示すＢ−Ｂ’断面の局所区画部を示す。図１０Ｂに示す平面図は、１つの局所区画部内に設けられた栽培床を、その上部から平面視したものである。
【０１０４】
局所区画部５Ａには、灯具９１の他に灯具９２が設けられている。
【０１０５】
灯具９２について説明する。灯具９２は、灯具９１と同様にＬＥＤ等の発光体を含む。灯具９２の形状は、上記のように灯具９１の形状とは異なるものであってよい。例えば、１メートルほどの長さの棒状の灯具９２であれば、灯具９２から光の放射方向に１メートルほど離れた面の照度として数百ルクスを得ることが可能である。この程度の照度を数十ワットに満たない消費電力であることができる。
【０１０６】
灯具９２は、外部から給電があると点灯し、給電が途絶えると消灯する。例えば、灯具９２ごとに給電系統が設けられていれば、制御部１４０からの給電制御により灯具９２ごとに点灯と消灯を切り替えることができる。
【０１０７】
灯具９２は、局所区画部５Ａの局所区画壁５２に係止されている。図１０Ａの断面図に示すように、灯具９２が局所区画部５Ａ内に設けられている位置は、栽培床４を基準にすると非対称になるように配置されている。例えば、図１０Ａの断面図に示すように栽培床４が局所区画部５Ａ内の中央部に位置していて、局所区画壁５２と局所区画壁５３が局所区画部５Ａ内の中央の中心線を基準に略対称に配置されている。ただし、灯具９２は、局所区画部５Ａの局所区画壁５２側に配置されているが、局所区画壁５３側には配置されていない。
【０１０８】
局所区画部５Ａ内で、上記のように栽培床４を挟み、灯具９２を非対称に配置することにより、次のような照射を実施できる。
【０１０９】
例えば、栽培床４の延在方向を南北に配置すると仮定する。この場合、局所区画壁５２が栽培床４の西側に、局所区画壁５３が栽培床４の東側になる。このように灯具９２を配置すると、日の出の時間帯に局所区画部５Ａ内に射し込む太陽光ＳＬを灯具９２が遮ることがない。隣の局所区画部５Ａ内に同じような配置で灯具９２が設けられていても、栽培床４から隣の局所区画部５Ａの灯具９２までの距離が十分確保されているため、植物３は、隣の局所区画部５Ａの灯具９２の陰になりにくい。
【０１１０】
また、日の出の時間帯の太陽光ＳＬは、東側の局所区画壁５３側から射すため、植物３の西側、つまり局所区画壁５２側に太陽光ＳＬの陰ができる。この陰になっている植物３の葉に到達する光の量が植物３の東側の葉に到達する光の量に比べて少ないため、植物３に光が十分に届いた状態にならないことがある。
【０１１１】
そこで、植物栽培システム１は、灯具９２を点灯することで植物３に達する光の量を増加させることにより、植物３が所望の照度の光を受けることを可能する。これにより、上記のような太陽光ＳＬによる植物３の陰が生じることによる影響を低減させることができる。
【０１１２】
なお、上記の灯具９２を配置する高さは、栽培床４の高さと植物３の丈により決定される。例えば、成長が進んだ植物３の頂部の高さと、灯具９２を配置する高さが同じ高さになるようにする。このような高さに灯具９２を配置すれば、植物３より高めの位置から光を植物３に照射することが可能になる。例えば、前述の灯具９１の点灯と組み合わせて点灯することにより、植物３に届く光の量を増やすことができる。灯具９１と灯具９２を合わせて設けることにより、光の照射による効果を、灯具９２を設けない場合、灯具９１のみを設けた場合などと比べて高めることができる。
【０１１３】
制御部１４０は、灯具９２の点灯を、例えば、図８に示す処理の手順に従い制御する。
制御部１４０は、灯具９２を、長日点灯モードと明期点灯モードの両方のモード時に点灯するように制御する。ただし、制御部１４０は、照度が所定量を超えている場合には、さらに光を増強しても光合成が大きく増加することはないため、所定の照度を超えている場合には、その点灯を制限するとよい。この処理は、ステップＳＡ２０からステップＳＡ２６の処理に対応する。
【０１１４】
本実施形態では、午前中に集中的に補光を実施する場合を例示する。
前述したように、栽培施設２は、点灯開始時刻ｔｏｎから消灯時刻ｔｏｆｆまでの点灯期間に、照明設備９を点灯させる。ここでは、点灯開始時刻ｔｏｎと消灯時刻ｔｏｆｆの設定を前述した時刻とは異なる値にする。例えば、点灯開始時刻ｔｏｎが午前７時であり、消灯時刻ｔｏｆｆが正午である。
【０１１５】
例えば、植物３がイチゴの場合には、第１照度値を２００００ルクスにする。この値は、植物３の種類などに対応付けて規定される「光飽和点」の値に対応させて決定するとよい。「光飽和点」とは、植物３が受ける光の量を増加しても光合成による生成物が増加しなくなる光の量（照度）のことである。経済性の観点から、照度センサ９５によって検出された照度が、植物３の「光飽和点」の値を超えている場合には、補光を中断する。
【０１１６】
上記の実施形態によれば、第１の実施形態と同様の効果を奏することのほか、灯具９２は、太陽光による植物３に陰が生じる範囲の光の量を補う光を、植物３の下から植物３に向けて放射する。また、灯具９２は、太陽光による植物３に陰が生じる範囲の光の量を補う光を、植物３の上から又は側方から植物３に向けて放射する。これにより、植物栽培システム１は、灯具９１を単独で利用する場合に比べて、１日の中で光合成が盛んに行われる午前中の光の量を増強することが可能になる。
【０１１７】
なお、季節により日照時間が変化する。特に冬季になると日照時間が短くなるため、自然光により栽培する植物栽培システム１の場合、１日当たりの植物３の成育量が低下する。
【０１１８】
（第３の実施形態）
第３の実施形態の植物栽培システム１について説明する。前述したように、栽培施設２の位置により、日の出と日の入の時刻が異なる。これによる日照時間の変化の影響を低減させる事例について説明する。
【０１１９】
例えば、緯度経度により日照時間が変化する。緯度が互いに異なる地点で、同じ日の日照時間を比べると、緯度が高い（つまり北に位置する）地点ほど日照時間が短くなる。そのため、緯度が高い地域で自然光により栽培する栽培施設２（植物栽培システム１）の場合、緯度が低い地域の栽培施設２に対して１日当たりの植物３の成育量が低下する。
【０１２０】
また、経度が互いに異なる地点で、同じ日の日の出と日の入の時刻を比べると、経度が大きい（つまり東に位置する）地点であるほど日の出と日の入の時刻が早くなる。そのため、植物栽培システム１に設定する時刻を経度に合わせて調整するとよい。
【０１２１】
制御部１４０は、栽培施設２（又は栽培床４）が配置された位置の緯度経度情報に基づいて、灯具９１の発光量と、点灯消灯を制御するための時刻を、所望の値に調整してもよい。例えば、制御部１４０は、栽培施設２（又は栽培床４）が配置された位置の緯度情報に基づいて、栽培施設２の位置における１日の日照時間と日照量とを導出する。制御部１４０は、導出した結果に基づいて、照明設備２を点灯させる時間をその標準値から所定量補正するようにしてもよい。
【０１２２】
上記の実施形態によれば、第１の実施形態と同様の効果を奏することのほか、制御部１４０は、栽培床４が配置された位置の緯度情報を取得して、その緯度情報に基づいて、灯具９１の発光量を調整することにより、その緯度情報に基づいて、制御の判定に利用する時刻の値を調整することができる。
【０１２３】
植物栽培システム１は、上記の通知を受けると、それに従い、所望の時刻の制御が最適なものになるように、各種制御のための変数、閾値などの情報を変更する。
【０１２４】
制御部１４０は、例えば、上記のように変更された各種制御のための変数、閾値などの情報に基づいて、所望の制御を実施する。
【０１２５】
上記の実施形態によれば、第１の実施形態と同様の効果を奏することの他、検出された状態に基づいた各種制御を実施する際に、地域の環境の変化に依存するような制御条件を当該制御の判定等に反映することができ、個々の栽培施設２ごとの制御をより適したものにして、実施することが可能になる。
さらに、位置情報から算出した緯度経度を基に、日照時間情報を抽出し、各種制御のための変数、閾値などの情報を変更してもよい。
【０１２６】
なお、上記の説明は、経度の値が東経の値をとる日本の場合を例示したものである。経度の値が西経の値をとる国では、経度による日の出と日の入の時刻の変化の傾向が、上記の説明と反対になる。
【０１２７】
なお、植物栽培システム１を実現するためのプログラムをコンピュータ読み取り可能な記録媒体に記録して、この記録媒体に記録されたプログラムをコンピュータシステムに読み込ませ、実行することにより栽培環境制御装置１００が所定の処理動作を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０１２８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、ネットワークや通信回線のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０１２９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【０１３０】
実施形態における栽培床４を囲む局所区画部５を設ける事例について説明したが、これに制限されることなく、局所区画部５を省略してもよい。
【０１３１】
また、上記の実施形態において自然光（太陽光）を主たる光として設定した植物栽培システム１について例示したが、これに制限されることなく、自然光に代えて人工光を主たる光として設定してもよい。この場合、自然光に代わる第３人工光と、それを補う第１人工光とを利用することになる。第１人工光の制御に、上記の実施形態に示した手法を適用するとよい。
【０１３２】
支持体９１Ｂの形状としてテープ型（図４）を例示したが、これに制限されることなく、他の形状のものを適用してもよい。
【０１３３】
図７から図９までに示した有効日の判定処理を省略してもよい。
【０１３４】
なお、実施形態における人工光は、発光量を一定に保つように光源を点灯させる連続点灯状態により生成される光と、比較的短時間に光源の点灯と消灯を繰り返す断続点灯状態により生成される光の何れであってもよい。例えば、断続点灯状態の光は、ＰＷＭ（Pulse With Modulation）制御などの所定の変調方式により変調された光であってよい。なお、断続点灯状態により生成される光は、第１発光量による点灯と、第１発光量より低減させた第２発光量の点灯とが比較的短時間の間に切り替えられて生成されてもよい。断続点灯状態の光の量は、所定期間の照度の平均値として規定してもよい。
【符号の説明】
【０１３５】
１…植物栽培システム、２…栽培施設、２１、２２、２３、２４…側壁部、２５…屋根部、３…植物、４…栽培床、５、５Ａ…局所区画部、５１…底部、５２、５３…局所区画壁、５４…可動蓋、９…照明装置、９１、９２…灯具、９３…照明制御部、９５…照度センサ、１００…栽培環境制御装置、１１０…ＩＦ部、１２０…通信部、１３０…記憶部、１４０…制御部、ＧＬ…地面、Ｓ…太陽、ＳＬ…太陽光
【図１】
2020103134.tif 000003
【図２】
2020103134.tif 000004
【図３Ａ】
2020103134.tif 000005
【図３Ｂ】
2020103134.tif 000006
【図４】
2020103134.tif 000007
【図５】
2020103134.tif 000008
【図６】
2020103134.tif 000009
【図７】
2020103134.tif 000010
【図８】
2020103134.tif 000011
【図９】
2020103134.tif 000012
【図１０Ａ】
2020103134.tif 000013
【図１０Ｂ】
2020103134.tif 000014